(57)【要約】【課題】  電気製品の量産開始の直前にはじめて起こり得る耐積載荷重に係る問題に臨機応変に対処することが可能で、必要が生じたときにだけ、別に製作した補強部材を用いることなく耐積載荷重を増大させることのできる梱包箱を提供する。【解決手段】  有底箱本体１０の蓋板部２０を、２枚の内フラップ２１，２２と２枚の外フラップ２３，２４とにより形成する。内フラップ２１，２２に、箱本体１０の横幅方向Ｗの両端部で奥行方向Ｄの中央部に配備されて蓋板部２０と底板部３０との相互間に介在される支持片６０を具備させる。支持片６０は、内フラップ２１，２２に切り目７０を形成することによってその内フラップ２１，２２に区画形成する。支持片６０の高さ方向一端部に切り目無し部分７４を具備させ、その切り目無し部分７３を介して支持片６０を内フラップ２１，２２に折曲げ可能に連設しておく。【選択図】        図３
2008127049.tif 000002
【特許請求の範囲】
【請求項１】
厚紙で平面視矩形に形作られた有底箱本体の蓋板部が、上記箱本体の４つの辺部に連設された折畳み可能な２枚の内フラップとそれらの内フラップの外側に折畳み可能な２枚の外フラップとにより形成される梱包箱において、
２枚の上記内フラップがその内フラップが連設されている上記辺部の全長に亘る幅を有していて、それらの内フラップのそれぞれの奥行幅方向中央部に、上記箱本体の横幅方向端部で奥行方向中央部に配備されることにより上記蓋板部と底板部との相互間に介在されて耐積載荷重を増大させる支持片が、上記内フラップに形成された切り目によってその内フラップに区画形成され、かつ、その支持片の高さ方向一端部に上記切り目を有しない切り目無し部分が具備されてその切り目無し部分を介してその支持片が上記内フラップに折曲げ可能に連設され、
上記支持片が上記内フラップの幅方向に並んだ第１及び第２の２つの区画を有し、その支持片の高さ方向一端部が、第１区画だけで上記切り目無し部分を介して上記内フラップに折曲げ可能に連設されていると共に、その支持片の第２区画が、その第１区画との境界線で第１区画側に直角又は略直角に折曲げ可能に形成されていることを特徴とする梱包箱。
【請求項２】
厚紙で平面視矩形に形作られた有底箱本体の蓋板部及び底板部のうちの少なくとも一方が、上記箱本体の４つの辺部に連設された折畳み可能な２枚の内フラップとそれらの内フラップの外側に折畳み可能な２枚の外フラップとにより形成される梱包箱において、
上記箱本体の横幅方向端部で奥行方向中央部に配備されることにより上記蓋板部と底板部との相互間に介在されて耐積載荷重を増大させる支持片を有し、その支持片が上記内フラップに形成された切り目によってその内フラップに区画形成され、かつ、その支持片の高さ方向一端部に上記切り目を有しない切り目無し部分が具備されてその切り目無し部分を介してその支持片が上記内フラップに折曲げ可能に連設されていることを特徴とする梱包箱。
【請求項３】
上記内フラップがその内フラップが連設されている上記辺部の全長に亘る幅を有していて、その内フラップの奥行幅方向中央部に上記支持片が区画形成されている請求項２に記載した梱包箱。
【請求項４】
上記支持片が上記内フラップの幅方向に並んだ複数の区画を有し、その支持片の高さ方向一端部が、複数の上記区画のうちの１区画だけで上記切り目無し部分を介して上記内フラップに折曲げ可能に連設されていると共に、その支持片が、相隣接する上記区画相互の境界線で折曲げ可能である請求項３に記載した梱包箱。
【請求項５】
上記支持片が上記内フラップの幅方向に並んだ第１及び第２の２つの区画を有し、その支持片の高さ方向一端部が、第１区画だけで上記切り目無し部分を介して上記内フラップに折曲げ可能に連設されていると共に、その支持片の第２区画が、その第１区画との境界線で第１区画側に折曲げ可能に形成されている請求項３に記載した梱包箱。
【請求項６】
上記支持片が上記内フラップの幅方向に並んだ第１、第２及び第３の３つの区画を有し、その支持片の高さ方向一端部が、第１区画と第３区画とに挟まれた第２区画だけで上記切り目無し部分を介して上記内フラップに折曲げ可能に連設されていると共に、その支持片の第１区画と第３区画とが、第２区画との境界線で第２区画側に折曲げ可能に形成されている請求項３に記載した梱包箱。
【発明の詳細な説明】
【技術分野】
【０００１】
本発明は、梱包箱、特に、ＤＶＤプレーヤなどの電気機器を梱包して運搬や保管などを行う場合に、必要に応じて平面視矩形の箱本体の横幅方向端部で奥行方向中央部を増強することによりその耐積載荷重を増大させることのできる梱包箱に関する。
【背景技術】
【０００２】
段ボールや板紙で作られる梱包箱は、一般的に平面視矩形に形作られた有底の箱本体の４つの辺部に折畳み可能な２枚の内フラップ及び外フラップを連設することにより構成されていて、２枚の内フラップを折り畳んだ後で、それらの内フラップの外側に２枚の外フラップを重なり状に折り畳むことによって蓋板部が形成されるようになっている。
【０００３】
この種の梱包箱において、その圧縮強度を高めるための対策として、箱本体の側板に連設した仕切り壁を箱本体内に折り曲げて配備したものが知られている（たとえば、特許文献１参照）。また、箱本体に備わっている上側の内フラップを下向きに折り曲げると共に、下側の内フラップを上向きに折り曲げてそれら上下の内フラップを重ね合わせることにより、箱本体の横幅方向両端部に中空の緩衝部を構成するということも行われている（たとえば、特許文献２参照）。さらに、梱包ケースの内フラップの一部に形成した切起し片に緩衝片としての機能を持たせることも行われている（たとえば、特許文献３参照）。
【特許文献１】特開２００４−１０１６３号公報
【特許文献２】特開２００２−３７２４２号公報
【特許文献３】特開平１１−９１７６６号公報
【発明の開示】
【発明が解決しようとする課題】
【０００４】
一般に、底板部と蓋板部とを備える梱包箱にあっては、その内容物、たとえば電気機器を収納して塵芥や異物の衝突などから保護するといったパッケージ本来の内容物防護機能のほかに、輸送や保管に際して積み重ねられたときに形崩れを起こすおそれがない程度の耐積載荷重を有することが要求される。
【０００５】
この点に関し、上掲の特許文献１によって提案されている技術によると、箱本体内に仕切り壁が配備されていて、その仕切り壁が箱本体の底板部と蓋板部との間に介在される構成を採用しているので、仕切り壁の補強作用が耐積載荷重を増大させることに役立つ。しかし、このものは、仕切り壁が箱本体の側板に連設されているために、仕切り壁を構成するための材料が余分に必要になるだけでなく、仕切り壁が箱本体の内部でその略全域に亘って延びているので、箱本体の全体に亘る１つの収容スペースを確保することができない。そのため、ＤＶＤプレーヤなどの電気機器を収容するための梱包箱として実用することに困難がある。
【０００６】
また、特許文献２によって提案されている技術では、箱本体の横幅方向両端部に形成されている中空の緩衝部によって耐積載荷重を増大させ得ると考えられるけれども、このものは、上下の内フラップが緩衝部のために用いられるので、底板部が外フラップだけで形成されることになって底板部に十分な強度を付与することに困難がある。
【０００７】
一方、内容物が電気製品である梱包箱について云えば、電気製品を収納することを予定している梱包箱についての耐積載荷重が、電気製品の量産開始の直前や直後に不足するおそれがあるという問題が浮上することがある。そして、このような問題が浮上した場合、その対策として、梱包箱とは別に製作した補強部材を梱包箱に入れてその耐積載荷重を改善するということが行われることがあるけれども、別に製作した補強部材を用いると、それだけコスト高になることを避けられない。
【０００８】
ところで、上掲の特許文献１によって提案されているものは、常設の補強作用を発揮する仕切り壁を有しているので、必要に応じてその仕切り壁を使用したり使用しなかったりするという選択の余地がない。そのために、仕切り壁を組み立てる手間が常に必要になる。
【０００９】
そこで、本発明は、電気製品などの内容物の量産開始の直前や直後に起こり得る耐積載荷重に係る問題、すなわち、内容物の設計段階では不明であってその量産後にはじめて判明することのある耐積載荷重についての問題に臨機応変に対処することのできる梱包箱、言い換えると、必要が生じたときにだけ、別に製作した補強部材を用いることなく耐積載荷重を増大させて使用することができるにもかかわらず、耐積載荷重を増大させる必要がないときには、耐積載荷重を増大させずに使用することのできる梱包箱を提供することを目的とする。特に、本発明は、梱包箱の横幅方向両端部で奥行方向中央部を補強することができるようにして、必要に応じてその耐積載荷重を増大させることのできる対策を講じた梱包箱に関するものである。
【課題を解決するための手段】
【００１０】
本発明に係る梱包箱は、  厚紙で平面視矩形に形作られた有底箱本体の蓋板部及び底板部のうちの少なくとも一方が、上記箱本体の４つの辺部に連設された折畳み可能な２枚の内フラップとそれらの内フラップの外側に折畳み可能な２枚の外フラップとにより形成されている。そして、上記箱本体の横幅方向端部で奥行方向中央部に配備されることにより上記蓋板部と底板部との相互間に介在されて耐積載荷重を増大させる支持片を有し、その支持片が上記内フラップに形成された切り目によってその内フラップに区画形成され、かつ、その支持片の高さ方向一端部に上記切り目を有しない切り目無し部分が具備されてその切り目無し部分を介してその支持片が上記内フラップに折曲げ可能に連設されている。
【００１１】
この発明によると、箱本体の横幅方向端部で奥行方向中央部に配備されることにより上記蓋板部と底板部との相互間に介在されて耐積載荷重を増大させる支持片が、内フラップに形成された切り目によってその内フラップに区画形成されていて、その支持片の高さ方向一端部に上記切り目を有しない切り目無し部分が具備されてその切り目無し部分を介してその支持片が上記内フラップに折曲げ可能に連設されていることにより、耐積載荷重を増大させる必要がないときには、その支持片を内フラップによって形成される蓋板部又は底板部の一部として使用することが可能であるので、そうすることにより、支持片を折り曲げて箱本体の長手方向中間部に配備するという手間を省略することが可能になる。これに対し、耐積載荷重を増大させる必要があるときには、支持片を折り曲げて箱本体の横幅方向端部で奥行方向中央部に配備するだけで、その必要性に対処することが可能になる。したがって、本発明に係る梱包箱は、電気製品などの内容物の設計段階では不明であってその量産開始の直前や直後にはじめて判明することのある耐積載荷重についての問題に臨機応変に対処することが可能になる。
【００１２】
本発明では、上記内フラップがその内フラップが連設されている上記辺部の全長に亘る幅を有していて、その内フラップの奥行幅方向中央部に上記支持片が区画形成されていることが望ましい。この構成であれば、内フラップに対して支持片を折り曲げ、かつ、内フラップを折り畳むだけで、支持片が箱本体の長手方向中間部に確実に配備されて箱本体が補強され、そのようなコーナ部の補強を通じて耐積載荷重を増大させることが可能になる。
【００１３】
本発明では、上記支持片が上記内フラップの幅方向に並んだ複数の区画を有し、その支持片の高さ方向一端部が、複数の上記区画のうちの１区画だけで上記切り目無し部分を介して上記内フラップに折曲げ可能に連設されていると共に、その支持片が、相隣接する上記区画相互の境界線で折曲げ可能であることが望ましい。これによれば、支持片を折り曲げてその複数の区画を立体構造の中空柱状などに形成することが可能であり、そのようにすることによって箱本体の横幅方向端部で奥行方向中央部の補強作用を顕著に発揮させて耐積載荷重を大幅に増大させることが可能になる。
【００１４】
本発明では、上記支持片が上記内フラップの幅方向に並んだ第１及び第２の２つの区画を有し、その支持片の高さ方向一端部が、第１区画だけで上記切り目無し部分を介して上記内フラップに折曲げ可能に連設されていると共に、その支持片の第２区画が、その第１区画との境界線で第１区画側に折曲げ可能に形成されている、という構成を採用することも可能であり、これによっても、箱本体の横幅方向端部で奥行方向中央部の補強作用を顕著に発揮させて耐積載荷重を大幅に増大させることが可能になる。
【００１５】
本発明では、上記支持片が上記内フラップの幅方向に並んだ第１、第２及び第３の３つの区画を有し、その支持片の高さ方向一端部が、第１区画と第３区画とに挟まれた第２区画だけで上記切り目無し部分を介して上記内フラップに折曲げ可能に連設されていると共に、その支持片の第１区画と第３区画とが、第２区画との境界線で第２区画側に折曲げ可能に形成されている、という構成を採用することも可能であり、これによっても、箱本体の横幅方向端部で奥行方向中央部の補強作用を顕著に発揮させて耐積載荷重を大幅に増大させることが可能になる。
【００１６】
本発明に係る梱包箱は、厚紙で平面視矩形に形作られた有底箱本体の蓋板部が、上記箱本体の４つの辺部に連設された折畳み可能な２枚の内フラップとそれらの内フラップの外側に折畳み可能な２枚の外フラップとにより形成される梱包箱において、２枚の上記内フラップがその内フラップが連設されている上記辺部の全長に亘る幅を有していて、それらの内フラップのそれぞれの奥行幅方向中央部に、上記箱本体の横幅方向端部で奥行方向中央部に配備されることにより上記蓋板部と底板部との相互間に介在されて耐積載荷重を増大させる支持片が、上記内フラップに形成された切り目によってその内フラップに区画形成され、かつ、その支持片の高さ方向一端部に上記切り目を有しない切り目無し部分が具備されてその切り目無し部分を介してその支持片が上記内フラップに折曲げ可能に連設され、上記支持片が上記内フラップの幅方向に並んだ第１及び第２の２つの区画を有し、その支持片の高さ方向一端部が、第１区画だけで上記切り目無し部分を介して上記内フラップに折曲げ可能に連設されていると共に、その支持片の第２区画が、その第１区画との境界線で第１区画側に直角又は略直角に折曲げ可能に形成されている、という構成を採用することによっていっそう具体化される。この発明の作用などについては、後述する実施形態を参照して詳細に説明する。
【発明の効果】
【００１７】
以上のように、本発明によれば、電気製品などの内容物の量産開始の直前や直後にはじめて起こり得る耐積載荷重に係る問題に臨機応変に対処することが可能になって、必要が生じたときにだけ、別に製作した補強部材を用いることなく耐積載荷重を増大させて使用することのできる梱包箱を提供することが可能になる。また、内フラップを利用して支持片を形成し得るようにしてあるので、冒頭に掲げた特許文献１に見られるように材料を余分に用いる必要もなくなる。
【発明を実施するための最良の形態】
【００１８】
図１は本発明の実施形態に係る梱包箱Ａにおいて蓋板部２０を開いた状態の概略斜視図、図２は同梱包箱Ａの組立手順を示した概略斜視図、図３は同梱包箱Ａの内フラップ２１を折り畳んだ状態の概略斜視図、図４は梱包箱Ａの平面図、図５は図１の梱包箱Ａの展開図である。また、図６は変形例による梱包箱Ａの要部平面図である。
【００１９】
この実施形態の梱包箱Ａは厚紙で作られていて、図１のように、平面視矩形に形作られた有底の箱本体１０の蓋板部２０が、箱本体１０の４つの辺部１１，１２，１３，１４に連設された折畳み可能な２枚の内フラップ２１，２２とそれらの内フラップ２１，２２の外側に折畳み可能な２枚の外フラップ２３，２４とにより形成されている。このうち、箱本体１０の横幅方向Ｗの両端に位置している２つの内フラップ２１，２２のそれぞれは、それらが連設されている箱本体１０の２つの辺部１１，１２の全長に亘る奥行幅を有している。また、箱本体１０には、上記蓋板部２０が備わっているほか、底板部３０と胴板部４０とが備わっている。そして、胴板部４０が前後左右の各側面板４１，４２，４３，４４を有し、底板部３０が、各側面板４１〜４４の下側の辺部に連設された２枚の内フラップ３１，３２とそれらの内フラップ３１，３２の外側（下側）に重なり状に折り畳まれた２枚の外フラップ３３，３４とにより形成されている。
【００２０】
以上において、箱本体１０に内容物である電気機器などを入れ、また、必要に応じて緩衝材を同梱した後で、内フラップ２１，２２を折り畳み、その外側（上側）に外フラップ２３，２４を折り畳むことによって梱包箱Ａとしての用途に供される。また、そのような梱包箱Ａは、輸送時や保管時に積載状態に保たれることがあり、その場合には、梱包箱Ａに、形崩れを起こさない程度の耐積載荷重が付与されていることが要求される。
【００２１】
ところが、この耐積載荷重は、内容物の量産開始の直前又は直後などに、当初予定されていた耐積載荷重を越える値にすることが要求されることもある。そこで、この実施形態の梱包箱Ａでは、必要に応じて、別に製作した補強部材を用いることなく、その耐積載荷重を増大させることのできる対策を講じてある。以下、この点について説明する。
【００２２】
この実施形態の梱包箱Ａは、その展開図を例示した図５を参照することによって判るように、厚紙によって横並びに形成した４つの側面板４１〜４４の下辺部に、底板部３０の構成要素である２つの内フラップ３１，３２と２つの外フラップ３３，３４とが振り分けて連設されていると共に、４つの側面板４１〜４４の上辺部に、蓋板部２０の構成要素である２つの内フラップ２１，２２と２つの外フラップ２３，２４とが振り分けて連設されている。
【００２３】
また、この実施形態の梱包箱Ａでは、図４のように箱本体１０の横幅方向Ｗの両端部で奥行方向Ｄの中央部の２箇所にそれぞれ支持片６０を配備し、その支持片６０を底板部３０と蓋板部２０との間に介在させるという手段を採用することによって、梱包箱Ａの耐積載荷重を増大させることを基本としている。そして、それらの支持片６０を蓋板部２０の構成要素である２枚の内フラップ２１，２２に２つずつ振り分けて具備させるという対策を講じてある。
【００２４】
２枚の内フラップ２１，２２に２つずつ振り分けて具備されている支持片６０のうち、内フラップ２１に形成されている１つの支持片６０を例にとってその形成方法を具体的に説明する。図５のように、支持片６０は、内フラップ２１に形成された切り目７０によってその内フラップ２１の奥行幅方向Ｄ’の中央部に区画形成されている。図示例において、切り目７０は、内フラップ２１の側辺に平行な２条の第１切り分け線７１，７１と、２条の第１切り分け線７１，７１の一端部間に亘って辺部１１に平行な第２切り分け線７２と、片側の第１切り分け線７１の他端部から他側の第１切り分け線７１の他端部に向けて延びて辺部１１に平行な第３切り分け線７３とを有していて、第３切り分け線７３の終点と他側の第１切り分け線７１の他端部との間に亘る部分が切り目無し部分７４として形成されている。したがって、その切り目無し部分７４で内フラップ２１に対して内側に折り曲げることによって形成される起立姿勢の支持片６０にあっては、その切り目無し部分７４が、支持片６０の高さ方向Ｈ（図３参照）の一端部に位置していることになる。また、支持片６０はその高さ（長さ）を当該梱包箱Ａの底板部３０と蓋板部２０との対向間隔に合わせてある。
【００２５】
上記のように内フラップ２１の横幅方向Ｗの端部に形成されている支持片６０にあっては、図５に破線で示した箇所、すなわち第３切り分け線７３の終点からその第２切り分け線７２の中点に至る線イを境として内フラップ２１の横幅方向Ｗに並んだ２つの区画、すなわち第１区画Ａ１と第２区画Ａ２が具備されるようになり、しかも、その線イのところで第１区画Ａ１に対して第２区画Ａ２を直角に折り曲げたり折り返したりすることが可能である。他の支持片６０についても同様の構成になっている。
【００２６】
上記の構成を備えた梱包箱Ａにおいて、その耐積載荷重を高める必要が生じたときには、図２及び図３に１つの内フラップ２１に設けた支持片６０について示したように、支持片６０の第１区画Ａ１の高さ方向（箱本体の高さ方向Ｈに一致している）の一端部に位置している切り目無し部分７４を矢印ａのように内側に直角に折り曲げることと、第２区画Ａ２を第１区画Ａ１に対して矢印ｂのように折り返すことと、内フラップ２１を内側に折り畳むこととを行うと、支持片６０の下端が底板部３０に突き合わされる。他の支持片６０についても同様である。こうすることによって、箱本体１０の横幅方向Ｗの両端部で奥行方向Ｄの中央部にそれぞれ支持片６０が配備されるようになり、それらの支持片６０によって梱包箱Ａがその横幅方向Ｗの両側で補強されて梱包箱Ａの耐積載荷重が増大することになる。
【００２７】
図２、図３及び図４には、支持片６０の第２区画Ａ２を第１区画に対して直角よりも大きい角度に折り返した事例を説明したけれども、この点は、たとえば図６のように、支持片６０の第２区画Ａ２を第１区画に直角に折り曲げておいてもよい。
【００２８】
図７は他の変形例に係る支持片６０を備えた梱包箱Ａの平面図、図８は図７のＶＩＩＩ−ＶＩＩＩ線断面図、図９は図７の梱包箱Ａの展開図である。
【００２９】
図７〜図９に示した事例は、支持片６０が内フラップ２１，２２の幅方向に並んだ第１、第２及び第３の３つの区画Ａ１，Ａ２，Ａ３を有し、それらのうちの中央の第２区画Ａ２の高さ方向一端部が切り目無し部分を介して内フラップ２１，２２に折曲げ可能に連設されていると共に、その支持片６０の第１区画Ａ１と第３区画Ａ３とが、第２区画Ａ２との境界線で第２区画側に折曲げ可能に形成されている。支持片６０がこの構成を有していると、図７のように、折り畳んだ内フラップ２１，２２のそれぞれの支持片６０の第１区画Ａ１と第３区画Ａ３とを第１区画Ａ２に対して折り返すことによって、立体構造の支持片６０が形成されて、図８のようにその支持片６０が底板部３０と蓋板部２０との間に介在されることになり、箱本体１０の横幅方向Ｗの両端部で奥行方向Ｄの中央部が補強されて梱包箱Ａの耐積載荷重が増大する。その他の事項は、図１〜図５を参照して説明したところと同様である。
【００３０】
以上説明した各実施形態では、支持片６０を蓋板部２０の構成要素である内フラップ２１，２２に具備させた事例を説明したけれども、支持片を底板部３０の構成要素である内フラップ３１，３２に具備させることも可能である。また、支持片６０を内フラップ２１，２２に具備させる理由は、支持片６０の折曲げ跡に残る開口Ｓ（図２参照）が、外フラップ２３，２４によって覆われて見えなくなること、外フラップ２３，２４によってその開口Ｓが塞がれて塵芥などの侵入を防ぐことができることなどによる。
【００３１】
図１〜図９では、説明の便宜上、同一又は相応部分に同一の符号を付してある。
【図面の簡単な説明】
【００３２】
【図１】本発明の実施形態に係る梱包箱において蓋板部を開いた状態の概略斜視図である。
【図２】同梱包箱の組立手順を示した概略斜視図である。
【図３】同梱包箱の内フラップを折り畳んだ状態の概略斜視図である。
【図４】梱包箱の平面図である。
【図５】図１の梱包箱の展開図である。
【図６】変形例による梱包箱の要部平面図である。
【図７】他の変形例に係る支持片を備えた梱包箱の平面図である。
【図８】図７のＶＩＩＩ−ＶＩＩＩ線断面図である。
【図９】図７の梱包箱の展開図である。
【符号の説明】
【００３３】
Ａ  梱包箱
１０  箱本体
１１〜１４  辺部
２０  蓋板部
２１，２２，３１，３２  内フラップ
２３，２４，３３，３４  外フラップ
３０  底板部
６０  支持片
７０  切り目
７４  切り目無し部分
Ａ１  第１区画
Ａ２  第２区画
Ａ３  第３区画
Ｗ  箱本体の横幅方向
Ｄ  箱本体の奥行方向
Ｄ’内フラップの奥行幅方向
Ｈ  支持片の高さ方向
【図１】
2008127049.tif 000003
【図２】
2008127049.tif 000004
【図３】
2008127049.tif 000005
【図４】
2008127049.tif 000006
【図５】
2008127049.tif 000007
【図６】
2008127049.tif 000008
【図７】
2008127049.tif 000009
【図８】
2008127049.tif 000010
【図９】
2008127049.tif 000011